(57)【要約】【課題】特にフェンスパネルに貼着させる印刷シートにおける端縁の切断部分が直接露出しない構成とすることで仕上がりの見た目の美しさを向上させる。【解決手段】間隔を空けて立設される複数の支柱２と、支柱２間にボルト２３、ナット２５を介して架設された補強用フレーム５、６と、補強用フレーム５、６に取り付けられたフェンスパネル３とを備え、補強用フレーム５、６は、支柱２に添接される側の反対側に平滑な貼付面５４、５５、６５が設けられ、フェンスパネル３は、貼付面５４、５５、６５に対して粘着層を介して貼り付けられ、貼り付けられたフェンスパネル３のパネル面に対して略平行となるように間隔を空けた遮蔽板７３がフェンスパネル３の周端に対して離間している側から当該フェンスパネル３に向けて近接する方向に延長されていることを特徴とする。【選択図】図１
2017172160.tif 000002
【特許請求の範囲】
【請求項１】
歩行者の自由な横断を抑止し又は人の視線を遮るためのフェンスであって、
間隔を空けて立設される複数の支柱と、上記支柱間に接合部材を介して架設された補強用フレームと、上記補強用フレームに取り付けられたフェンスパネルとを備え、
上記補強用フレームは、上記支柱に接合される側の反対側に接合部材用の接合手段が形成されていない平滑な貼付面が設けられ、
上記フェンスパネルは、上記貼付面に対して粘着層を介して貼り付けられていること
を特徴とするフェンス。
【請求項２】
歩行者の自由な横断を抑止し又は人の視線を遮るためのフェンスであって、
間隔を空けて立設される複数の支柱と、上記支柱間に接合部材を介して架設された補強用フレームと、上記補強用フレームに取り付けられたフェンスパネルとを備え、
上記補強用フレームは、上記支柱に添接される側の反対側に平滑な貼付面が設けられ、
上記フェンスパネルは、上記貼付面に対して粘着層を介して貼り付けられ、
上記貼り付けられたフェンスパネルのパネル面に対して略平行となるように間隔を空けた遮蔽板が上記フェンスパネルの周端に対して離間している側から当該フェンスパネルに向けて近接する方向に延長されていること
を特徴とするフェンス。
【請求項３】
上記貼付面は合部材用の接合手段が形成されていない平滑な面とされていること
を特徴とする請求項２記載のフェンス。
【請求項４】
上記遮蔽板は、フェンスパネルのパネル面に対して１〜１０ｍｍ間隔が空けられていること
を特徴とする請求項２又は３記載のフェンス。
【請求項５】
上記遮蔽板は、フェンスパネルのパネル面に対する平面視で、上記フェンスパネルの周端に対して重複するように延長されていること
を特徴とする請求項２〜４のうち何れか１項記載のフェンス。
【請求項６】
上記接合部材は、上記支柱に挿通されるボルトと、上記ボルトのネジ部に螺着されるナットからなり、
上記補強用フレームは、上記ナットが遊嵌されてなるとともに、上記架設される方向に連続する長溝を有すること
を特徴とする請求項１〜５のうち何れか１項記載のフェンス。
【請求項７】
上記フェンスパネルのパネル面には、文字、図形、広告又は写真が表面に印刷された樹脂フィルムが貼着されること
を特徴とする請求項1〜６のうち何れか１項記載のフェンス。
【請求項８】
上記フェンスパネルのパネル面に対する平面視で上記遮蔽板と重複するように、当該パネル面上に文字、図形、広告又は写真が表面に印刷された樹脂フィルムが貼着されること
を特徴とする請求項1〜６のうち何れか１項記載のフェンス。
【発明の詳細な説明】
【技術分野】
【０００１】
本発明は、主として土地の境界線に設けられ、歩行者の自由な横断を抑止し又は人の視線を遮るためのフェンスに関するものである。
【背景技術】
【０００２】
従来よりフェンスは、互いに間隔を空けて立設された支柱間にフェンスパネルやメッシュを架設することで構成され、歩行者の自由な横断を抑止し、又は人の視線を遮る機能を担うものである。このフェンスは、主として敷地の境界線に設けられるが、これ以外には危険区域の周囲に設けられることで歩行者の自由な立ち入りを禁止し、或いは崖や池、川等の境界に設置されることで歩行者の落下を防止する場合もある。
【０００３】
近年において、このようなフェンスに対して広告や標識等の文字、図形又は写真等が印刷された表示媒体を施す技術も提案されている。例えば特許文献１には、フェンスパネルの上縁並びに下縁において全長に亘り上枠体及び下枠体を設けている。この上枠体及び下枠体によりフェンスパネルを上下から挟持する構成としている。具体的には、上枠体の下部並びに下枠体の上部においてそれぞれ設けられた嵌入部にフェンスパネルを嵌入することでこれを挟持する。このフェンスパネルの表面に文字、図形、写真等を施すことも可能であり、スクリーン印刷等の手段で直接表示してもよいし、印刷シートなどを貼着してもよい。これにより、フェンスパネルを従来と同様に歩行者の自由な横断を抑止するような機能を担わせると共に、文字、図形、写真等を介した情報をフェンスパネルに施すことで情報表示機能も担わせることが可能となる。更に広告宣伝用の情報をフェンスパネルに施すことにより、これに広告宣伝機能を担わせることも可能となる。
【先行技術文献】
【特許文献】
【０００４】
【特許文献１】特開２００４−０５２３１２号公報
【発明の概要】
【発明が解決しようとする課題】
【０００５】
しかしながら、上述した特許文献１の開示技術によれば、上枠体の下部並びに下枠体の上部においてそれぞれ設けられた嵌入部にフェンスパネルを嵌入する構成としている。即ち、この嵌入部にはフェンスパネルがほぼ隙間が無い状態で嵌め込まれているため、フェンスパネルに対して印刷シートを貼着して情報表示機能を担わせる場合において、その印刷シートの切断された端縁を嵌入部内に挿入することができず、これをうまく遮蔽することができない。その結果、印刷シートにおける端縁の切断部分が直接フェンスパネル上において露出することとなり、仕上がりの見た目の美しさが低下してしまう虞がある。特にこの印刷シートが広告宣伝用ものであれば、広告の見た目が商業的な宣伝の成否に大きな影響を及ぼすため、印刷シートにおける端縁の切断部分は極力露出しない構成とすることが望ましかった。
【０００６】
そこで本発明は、上述した問題点に鑑みて案出されたものであり、歩行者の自由な横断を抑止し又は人の視線を遮るためのフェンスにおいて、特にフェンスパネルに貼着させる印刷シートにおける端縁の切断部分が直接露出しない構成とすることで仕上がりの見た目の美しさを向上させることが可能なフェンスを提供することにある。
【課題を解決するための手段】
【０００７】
第１発明に係るフェンスは、歩行者の自由な横断を抑止し又は人の視線を遮るためのフェンスであって、間隔を空けて立設される複数の支柱と、上記支柱間に接合部材を介して架設された補強用フレームと、上記補強用フレームに取り付けられたフェンスパネルとを備え、上記補強用フレームは、上記支柱に接合される側の反対側に接合部材用の接合手段が形成されていない平滑な貼付面が設けられ、上記フェンスパネルは、上記貼付面に対して粘着層を介して貼り付けられていることを特徴とする。
【０００８】
第２発明に係るフェンスは、歩行者の自由な横断を抑止し又は人の視線を遮るためのフェンスであって、間隔を空けて立設される複数の支柱と、上記支柱間に接合部材を介して架設された補強用フレームと、上記補強用フレームに取り付けられたフェンスパネルとを備え、上記補強用フレームは、上記支柱に添接される側の反対側に平滑な貼付面が設けられ、上記フェンスパネルは、上記貼付面に対して粘着層を介して貼り付けられ、上記貼り付けられたフェンスパネルのパネル面に対して略平行となるように間隔を空けた遮蔽板が上記フェンスパネルの周端に対して離間している側から当該フェンスパネルに向けて近接する方向に延長されていることを特徴とする。
【０００９】
第３発明に係るフェンスは、第２発明において、上記貼付面は合部材用の接合手段が形成されていない平滑な面とされていることを特徴とする。
【００１０】
第４発明に係るフェンスは、第２又は第３発明において、上記遮蔽板は、フェンスパネルのパネル面に対して１〜１０ｍｍ間隔が空けられていることを特徴とする。
【００１１】
第５発明に係るフェンスは、第２〜第４の何れかの発明において、上記遮蔽板は、フェンスパネルのパネル面に対する平面視で、上記フェンスパネルの周端に対して重複するように延長されていることを特徴とする。
【００１２】
第６発明に係るフェンスは、第１〜第５の何れかの発明において、上記接合部材は、上記支柱に挿通されるボルトと、上記ボルトのネジ部に螺着されるナットからなり、上記補強用フレームは、上記ナットが遊嵌されてなるとともに、上記架設される方向に連続する長溝を有することを特徴とする。
【００１３】
第７発明に係るフェンスは、第１〜第６の何れかの発明において、上記フェンスパネルのパネル面には、文字、図形、広告又は写真が表面に印刷された樹脂フィルムが貼着されることを特徴とする。
【００１４】
第８発明に係るフェンスは、第１〜第６の何れかの発明において、上記フェンスパネルのパネル面に対する平面視で上記遮蔽板と重複するように、当該パネル面上に文字、図形、広告又は写真が表面に印刷された樹脂フィルムが貼着されることを特徴とする。
【発明の効果】
【００１５】
上述した構成からなる本発明によれば、フェンスパネルに樹脂フィルムが貼り付けられる場合にその端縁の切断部分が遮蔽板により遮蔽されることから、当該端縁の切断部分が外部に露出せず、視認性を確保できない状態におかれることとなる。その結果、外部から樹脂フィルムを視認した場合、その端縁が直接外部から見えなくなっており、しかも遮蔽板に収まっていると感じさせることが可能となる。その結果、フェンスパネルに貼り付けられた樹脂フィルムの仕上がりの見た目の美しさを向上させることが可能となる。特にこの樹脂フィルムに広告宣伝用の情報が施される場合、広告の見た目が商業的な宣伝の成否に大きな影響を及ぼすため、特に大きな効果を奏するものとなる。
【図面の簡単な説明】
【００１６】
【図１】本発明を適用したフェンスの表側から視認した状態を示す斜視図である。
【図２】フェンスを裏側から視認した状態を示す斜視図である。
【図３】フェンスを裏側から視認した状態を示す背面図である。
【図４】本発明を適用したフェンスの平面図である。
【図５】本発明を適用したフェンスの側断面図である。
【図６】（ａ）は、支柱の中段に架設される補強用フレームの断面図であり、（ｂ）はその側面図である。
【図７】（ａ）は、支柱の上下に架設される補強用フレーム、カバーの断面図であり、（ｂ）はその側面図である。
【図８】補強用フレームの側端に取り付けられる縦枠の断面図である。
【図９】縦枠を補強用フレームに取り付ける方法について説明するための図である。
【図１０】フェンスパネルの表面に樹脂フィルムを貼り付けた形態を示す図である。
【図１１】樹脂フィルムの端縁を遮蔽板とフェンスパネルとの間に形成された間隙に押し込む例について説明するための図である。
【図１２】本発明を適用したフェンスを勾配がある地面に対して取り付ける形態を示す図である。
【図１３】本発明を適用したフェンスの使用形態について説明するための図である。
【図１４】フェンス用土台の上にフェンスを設ける例を示す斜視図である。
【発明を実施するための形態】
【００１７】
以下、本発明を適用したフェンスを実施するための形態について、図面を参照しながら詳細に説明をする。
【００１８】
図１は、本発明を適用したフェンス１の表側から視認した状態を示す斜視図であり、図２はフェンス１を裏側から視認した状態を示す斜視図であり、図３は、その裏側から視認した背面図を示している。
【００１９】
フェンス１は、基礎に対して図３中Ａ方向に向けて互いに所定間隔をおいて立設された支柱２と、この支柱２間に架設された補強用フレーム５、６と、この補強用フレーム５、６の側端に対して取り付けられた縦枠４と、補強用フレーム５、６並びに縦枠４に取り付けられたフェンスパネル３とを備えている。このフェンス１は、あくまで歩行者の自由な横断を抑止し、又は人の視線を遮ることを目的として設置されるものである。フェンス１はかかる目的の下で、主として敷地の境界線に設けられ、或いは危険区域の周囲に設けられることで歩行者の自由な立ち入りを禁止し、崖や池、川等の境界に設置されることで歩行者の落下を防止するための機能を担う。或いはフェンス１は、人の視線を遮るための、目隠しとしての役割を担うものである。
【００２０】
支柱２は、基部が地盤、ブロック塀、よう壁上に建て込まれ、又は図１〜３に示すように当該基部の下部が設置場所に埋設されて立設されている。支柱２の基部は、設置場所に埋設される場合に限定されること無く、図示しないベースプレートが下端に取り付けられ、そのベースプレートを地表に固定するようにしてもよい。その場合、図示しないベースプレートは図示しないアンカーボルトを挿通するための図示しない挿通孔が形成されている。図示しないアンカーボルトは、基礎に事前に打ち込まれており、この図示しない挿通孔を介して図示しないベースプレートを地表において安定的に固定するようにしてもよい。このようなベースプレート上に例えば溶接等の手段により固着されて立設された支柱２は、上方に延伸された金属管として構成される。以下、この支柱２は、断面矩形状の管体で構成されている場合を例に挙げて説明をするが、これに限定されるものではなく、その断面形状は、円形状、或いは角部に曲率を持たせた矩形状等、いかなる形状で構成されていてもよい。またこの支柱２は、管体で構成される場合のみならず、例えばＨ形鋼や溝形鋼等の形鋼で具現化されるものであってもよい。
【００２１】
図４は、フェンス１の平面図であり、図５は、フェンス１の側断面図を示している。これら図４、５に示すように、支柱２は、ボルト孔２４が図中裏側から表側にかけて貫通するように設けられている。このボルト孔２４には、補強用フレーム５、６をボルト接合するためのボルト２３が挿通される。補強用フレーム５、６は、それぞれ長手方向が支柱２の立設方向に対して直交するように架設される。
【００２２】
図６（ａ）は、上述の如き構成からなる支柱２に架設される補強用フレーム６の断面図である。補強用フレーム６は、上下に取り付けられた補強用フレーム６５の間に架設される、いわゆる中桟としての機能を担うものである。補強用フレーム６は、裏側から支柱２が近接し、表側からフェンスパネル３が接触する。この補強用フレーム６は、この支柱２が近接する裏側において長溝６１が設けられ、この長溝６１が設けられている側に対して反対側である表側には貼付面６５が設けられている。補強用フレーム６は筒状に構成されており、図６（ａ）中紙面奥行き方向に向けて延長されている。換言すれば、この補強用フレーム６は、長手方向が図３中のＡ方向に向けて延長されているといえる。補強用フレーム６は、アルミニウム合金や鉄鋼等を始めとした金属材料で構成されており、特にアルミニウム合金で構成する場合には、押し出し成形により上述した断面が空洞化された筒状のフレームを製造することが可能となる。この筒状の補強用フレーム６の内壁６ａには、接合部６２が１又は複数箇所に亘り設けられている。
【００２３】
長溝６１は、ボルト２３と螺着させるためのナット２５が、そのネジ孔の軸心が表側、裏側に配向するように挿入可能な形状、サイズで構成されている。この長溝６１は、補強用フレーム６の長手方向に向けて、換言すれば図６（ａ）中紙面奥行き方向に向けて延長されている。その結果、この長溝６１に挿入されたナット２５もこの長溝６１の延長方向に沿って移動可能とされている。
【００２４】
接合部６２は、図６（ａ）中紙面奥行き方向からボルトの足が挿入可能なサイズ、形状で構成されており、内壁６ａから内側に向けて突出された係止片により構成されている。即ち、この接合部６２は、互いに線対称な形状からなる２つの係止片を互いに対向させることにより構成されている。
【００２５】
貼付面６５は、平滑な平面で構成されている。貼付面６５は、補強用フレーム６が支柱２に取り付けられた際において、その法線方向が水平となるように設計される。
【００２６】
図６（ｂ）は、この補強用フレーム６について図６（ａ）中の裏側のＢ方向から視認した状態を示す側面図である。補強用フレーム６は水平方向に向けて長手方向に延長されてなる。この補強用フレーム６において上述した長溝６１が長手方向に向けて延長されている。
【００２７】
図７（ａ）は、上述の如き構成からなる支柱２に架設される補強用フレーム５、並びにこれに取り付けられるカバー７の断面図である。
【００２８】
補強用フレーム５は、支柱２の上下に取り付けられる枠材で構成される。以下の例においては、この補強用フレーム５、カバー７につき、支柱２の下側に取り付けられる場合を例にとり説明をするが、支柱２の上側に取り付けられる場合も、これと同様の構成となる。
【００２９】
補強用フレーム５は、裏側のＢ方向から支柱２が近接し、表側からフェンスパネル３が接触する。この補強用フレーム５は、この支柱２が近接する裏側において長溝５１が設けられ、この長溝５１が設けられている側に対して反対側である表側には貼付面５５が設けられている。補強用フレーム５は筒状に構成されており、図７（ａ）中紙面奥行き方向に向けて延長されている。換言すれば、この補強用フレーム５は、長手方向が図３中のＡ方向に向けて延長されているといえる。補強用フレーム５は、アルミニウム合金や鉄鋼等を始めとした金属材料で構成されており、特にアルミニウム合金で構成する場合には、押し出し成形により上述した断面が空洞化された筒状のフレームを製造することが可能となる。この筒状の補強用フレーム５の内壁５ａには、接合部５２が１又は複数箇所に亘り設けられている。
【００３０】
長溝５１は、ボルト２３と螺着させるためのナット２５が、そのネジ孔の軸心が表側、裏側に配向するように挿入可能な形状、サイズで構成されている。この長溝５１は、補強用フレーム５の長手方向に向けて、換言すれば図７（ａ）中紙面奥行き方向に向けて延長されている。その結果、この長溝５１に挿入されたナット２５もこの長溝５１の延長方向に沿って移動可能とされている。
【００３１】
接合部５２は、図７（ａ）中紙面奥行き方向からボルトの足が挿入可能なサイズ、形状で構成されており、内壁５ａから内側に向けて突出された係止片により構成されている。即ち、この接合部５２は、互いに線対称な形状からなる２つの係止片を互いに対向させることにより構成されている。
【００３２】
また補強用フレーム５は、貼付面５５に対して略垂直方向に折り曲げられて延長された中間板５７が形成されている。この中間板５７よりも外側に向けて突出され、貼付面５５と同一平面を形成するように延長された貼付面５４が更に設けられている。また中間板５７よりも外側に向けて突出され、表側に位置する貼付面５４に対して平行とされ、これに対向するように裏側に位置する対向面５６が設けられている。この貼付面５４及び対向面５６の突出された端部から鉤状に折り曲げられた係止部５３が更に設けられている。
【００３３】
カバー７は、端面７０と、この端面７０と略同一平面を構成しつつ表側に突出された突出片７２と、突出片７２の表側端部から当該突出片７２に対して略垂直方向に折り曲げられた遮蔽板７３とを備えている。また端面７０から略垂直方向に折り曲げられた貼付面７５と、この表側に位置する貼付面７５に対して平行とされ、これに対向するように裏側に位置する対向面７６が設けられている。カバー７は、この貼付面７５及び対向面７６からそれぞれ内側に向けて略垂直方向に折り曲げられ、更に端面７０から離間する方向に向けて支点７１ａを中心に折り曲げられた弾性変形部７１とを備えている。この弾性変形部７１は、支点７１ａを中心にして先端７１ｂを弾性変形自在に構成されている。弾性変形部７１の先端７１ｂには、係止部５３の間で係止可能とするため、外側に向けて拡径されて構成されていてもよい。実際にこの弾性変形部７１は、支点７１ａを中心にして弾性変形自在とするために必要な弾性率を持つ材料や板厚等が適宜選択されることとなる。
【００３４】
このようなカバー７を補強用フレーム５に取り付ける際には、補強用フレーム５における中間板５７に対してカバー７における端面７０を対向させるようにして互いに近接させる。そして、係止部５３の先端に弾性変形部７１を当接させ、そのまま中間板５７に対して端面７０を互いに近接させるように近づけることにより、弾性変形部７１は、当接された係止部５３を介して内側に向けて押圧されるように弾性変形する。中間板５７に対して端面７０を更に近接させることにより、弾性変形部７１が係止部５３により内側に向けて弾性的に押圧された上で、図７（ａ）に示すように、その先端７１ｂを係止部５３に係止させることが可能となる。
【００３５】
このようにして、カバー７が補強用フレーム５に取り付けられた状態において、補強用フレーム５における貼付面５４、５５が、カバー７における貼付面７５との間でちょうどほぼ同一平面を構成するように設計される。その結果、この貼付面５４、５５、７５によりほぼ同一平面が形成されている状態で、かつ当該同一平面に対して略平行となるように間隔を空けた状態で遮蔽板７３が位置している状態となる。
【００３６】
図７（ｂ）は、この補強用フレーム５及びカバー７について図７（ａ）中の裏側のＢ方向から視認した状態を示す側面図である。補強用フレーム５は水平方向に向けて長手方向に延長されてなる。この補強用フレーム５において上述した長溝５１が長手方向に向けて延長されている。
【００３７】
上述したようにカバー７が取り付けられた補強用フレーム５が、支柱２の上下に取り付けられ、またその中段においては、補強用フレーム６が取り付けられる。補強用フレーム５を支柱２に取り付ける際には、この補強用フレーム５における長溝５１にナット２５をそのネジ孔の軸心が表側、裏側に配向するように挿入する。そして、支柱２におけるボルト孔２４に挿入されたボルト２３のネジの先端を、この長溝５１に挿入し、ナット２５により螺着することにより固定する。また、補強用フレーム６支柱２に取り付ける際には、この補強用フレーム６における長溝６１にナット２５をそのネジ孔の軸心が表側、裏側に配向するように挿入する。そして、支柱２におけるボルト孔２４に挿入されたボルト２３のネジの先端を、この長溝６１に挿入し、ナット２５に対して螺着することにより固定する。ちなみに、このナット２５は、通常の断面六角形状とされていてもよいが、断面四角形状とされていてもよい。
【００３８】
このとき、図５に示すように補強用フレーム５における貼付面５４、５５、カバー７における貼付面７５、更に補強用フレーム６における貼付面６５が、支柱２におけるこれらの取り付け面２ａに対して、ほぼ同一距離上に位置することとなる。
【００３９】
なお、図３、５の例において、補強用フレーム５、６を合計３段に亘り構成する場合を例に挙げて説明をしたが、これに限定されるものではなく、４段以上で構成するようにしてもよいことは勿論である。かかる場合において中段は何れも補強用フレーム６を複数段に亘り架設することとなる。またフェンス１の高さを低く構成する場合には、中段の補強用フレーム６を省略し、補強用フレーム５を支柱２の上下に亘り配設することで２段で構成してもよい。
【００４０】
上述した構成からなる補強用フレーム５、６の側端に取り付けられる縦枠４は、図８の断面図に示すように、筒状に構成される枠材からなる。縦枠４は、図８中紙面奥行き方向に向けて延長されている。換言すれば、この縦枠４は、長手方向が図３中の支柱２の立設方向に向けて延長されているといえる。縦枠４は、アルミニウム合金や鉄鋼等を始めとした金属材料で構成されており、特にアルミニウム合金で構成する場合には、押し出し成形により上述した断面が空洞化された筒状の枠材を製造することが可能となる。
【００４１】
縦枠４は、表側において平滑な貼付面４２が形成されている。この貼付面４２に対して略直交する側においてボルト孔４１、並びにこのボルト孔４１に挿通されるボルト４４の頭部が収容される凹部４３が設けられている。
【００４２】
但し、この縦枠４は、補強用フレーム５、６との取り付け位置においては、少なくともボルト孔４１、凹部４３のみで構成されていてもよく、筒状に構成されて断面閉空間状に構成される場合に限定されるものではない。即ち、縦枠４は、補強用フレーム５、６との取り付け位置は、図９に示すように、筒状部分が切り欠かれて構成され、補強用フレーム５の側端５８ａ、補強用フレーム６の側端６８ａを凹部４３に対して近接させて配置する。
そして、縦枠４の上下に設けられたボルト孔４1にボルト４４を挿通させ、ボルト４４の軸足を補強用フレーム５の接合部５２並びに補強用フレーム６の接合部６２に挿入することにより固定する。このとき接合部５２、６２の内側にネジ山を予め形成させておくことにより、ボルト４４の軸足をこれに螺着させる構成としてもよい。
【００４３】
縦枠４を補強用フレーム５、６に取り付ける過程において、更に小口フタ４８を補強用フレーム５における側端５８ａや、補強用フレーム６における側端６８ａに取り付けるようにしてもよい。かかる場合においても、ボルト４４を小口フタ４８に挿通させ、その軸足を補強用フレーム５の接合部５２並びに補強用フレーム６の接合部６２に挿入することにより固定するようにしてもよい。
【００４４】
また図４に示すように縦枠４をフェンス１の側端に設けるのではなく、フェンス１の図中Ａ方向の中間部に設ける場合には、隣接する縦枠４間において凹部４３が形成される側同士が互いに当接させた状態で固定される。このとき、この隣接する縦枠４を挟持可能な連結ブラケット４９を裏側から嵌め込むようにしてもよい。そして、この嵌め込んだ連結ブラケット４９、並びに隣接する縦枠４につき、予め設けられた図示しない挿通孔にボルト９１を挿通させ、ナット９２をこれに螺着させることで固定するようにしてもよい。
【００４５】
このようにして縦枠４が補強用フレーム５、６に取り付けられた場合には、縦枠４における貼付面４２、補強用フレーム５における貼付面５４、５５、カバー７における貼付面７５が、支柱２におけるこれらの取り付け面２ａに対して、ほぼ同一距離上に位置するように設計されることとなる。ちなみに、この縦枠４の構成は必須ではなく、省略するようにしてもよい。
【００４６】
フェンスパネル３は、例えばアルミニウム複合板等の金属板、ポリカーボネートやアクリル樹脂等で構成された樹脂製板等のような、平滑な板状体で構成されている。このフェンスパネル３は、縦枠４における貼付面４２、補強用フレーム５における貼付面５４、５５、カバー７における貼付面７５に対してそれぞれ粘着層を介して貼り付けられることで固定される。この粘着層は、例えばいかなる種類の両面テープや接着剤等、粘着力を介して貼り付け可能な材料であればよい。この両面テープの例としては、例えばＶＨＢ（登録商標）アクリルフォーム構造用接合テープを使用するようにしてもよい。上述したように、貼付面４２、貼付面５４、５５、貼付面７５が、支柱２の取り付け面２ａに対して、ほぼ同一距離上に位置するように設計されるため、これらに対してフェンスパネル３の同一の面をガタツキが生じることなく貼り付けることが可能となる。
【００４７】
このようなフェンスパネル３が、貼付面４２、５４、５５、７５に貼り付けられたとき、フェンスパネル３に対しては上述した遮蔽板７３が、そのパネル面に対して略平行となるように間隔を空け、かつ当該フェンスパネル３の周端に対して離間している側から当該フェンスパネル３に向けて近接する方向に延長されている状態となっている。
【００４８】
このフェンスパネル３が貼り付けられることにより、表側から裏側への歩行者の自由な横断を抑止し、又は人の視線を遮ることができる。このフェンスパネル３はあくまでかかる歩行者の横断抑止機能、視線遮蔽機能を担うことを目的に配設されるものであるが、その表面において例えば図１０に示すように、文字、図形、広告又は写真が表面に印刷された樹脂フィルム１０１を貼り付けるようにしてもよい。文字、図形、写真等を介した情報が施された樹脂フィルム１０１をこのフェンスパネル３に貼り付けることにより、フェンスパネル３ひいてはフェンス１そのものに対して情報表示機能を発揮させることが可能となる。また、広告宣伝用の情報が施された樹脂フィルム１０１をこのフェンスパネル３に貼り付けることにより、フェンスパネル３ひいてはフェンス１そのものに対して広告宣伝機能を発揮させることが可能となる。
【００４９】
実際にフェンスパネル３に対してこの樹脂フィルム１０１を貼り付ける際には、糊又は接着剤、両面テープ等を始めとした粘着層を介して行うこととなる。このとき、樹脂フィルム１０１の端縁１０１ａは、図１１に示すように、遮蔽板７３とフェンスパネル３との間に形成された間隙に押し込むこととなる。このとき、ヘラによりこの樹脂フィルム１０１の端縁１０１ａを遮蔽板７３の後側に押し込み、そのヘラを使用してフェンスパネル３への貼り付けを行うようにしてもよい。また、樹脂フィルム１０１がフェンスパネル３からはみ出てしまう場合には、貼り付けた後の樹脂フィルム１０１の端縁１０１ａをカッター等により切断するようにしてもよいし、樹脂フィルム１０１をヘラにより遮蔽板７３の裏に押し込む前に予めカッターにより切断するようにしてもよい。何れの方法においても、この樹脂フィルム１０１の端縁１０１ａがフェンスパネル３の端縁とほぼ揃うようにして貼着されることが望ましい。その理由として、仮にこの樹脂フィルム１０１の端縁１０１ａがフェンスパネル３からはみ出した状態のままであれば、そのはみ出した部分から樹脂フィルム１０１が剥離しやすくなってしまうためである。これに加えて、その樹脂フィルム１０１の端縁１０１ａがフェンスパネル３からはみ出した状態のままであれば、遮蔽板７３の後側に押し込んでこれを収容しきれず、仕上がりの見た目の美しさも低下してしまうためである。
【００５０】
何れの方法においても、このフェンスパネル３に貼り付けられた樹脂フィルム１０１の端縁１０１ａは、遮蔽板７３の端部７３ａより遮蔽されることとなる。図１１の例において、この樹脂フィルム１０１の端縁１０１ａが、遮蔽板７３の端部７３ａよりも上方に位置することとなる。その結果、外部からは、樹脂フィルム１０１の端縁１０１ａが遮蔽板７３を介して視認することができない状態となる。
【００５１】
特に樹脂フィルム１０１の端縁１０１ａをカッター等により切断した場合には、その切断部分が外部から視認できてしまうと、仕上がりの見た目の美しさが低下してしまう虞がある。これに対して、本発明によれば、樹脂フィルム１０１の端縁１０１ａの切断部分が遮蔽板７３により遮蔽されることから、当該端縁１０１ａの切断部分が外部に露出せず、視認性を確保できない状態におかれることとなる。その結果、外部から樹脂フィルム１０１を視認した場合、その端縁１０１ａが直接外部から見えなくなっており、しかも遮蔽板７３に収まっているように感じさせることが可能となる。その結果、フェンスパネル３に貼り付けられた樹脂フィルム１０１の仕上がりの見た目の美しさを向上させることが可能となる。特にこの樹脂フィルム１０１に広告宣伝用の情報が施される場合、広告の見た目が商業的な宣伝の成否に大きな影響を及ぼすため、特に大きな効果を奏するものとなる。
【００５２】
また、これに加えて、フェンスパネル３の端縁も同様にこの遮蔽板７３により遮蔽されることとなり。特にフェンスパネル３は、上述したように貼付面４２、５４、５５、７５に粘着層を介して貼り付けられるものであるため、貼り付ける過程においてわずかに斜めに傾いた状態で貼り付けられる場合もある。しかしながら、わずかに斜めに傾いた状態で貼り付けられたフェンスパネル３の端縁が遮蔽板７３により遮蔽されることから、それを目立たなくすることが可能となる。
【００５３】
樹脂フィルム１０１の端縁１０１ａを効率よく遮蔽板７３の裏に押し込むとともに、その遮蔽を効果的に実現するためには、図１１に示す遮蔽板７３に対するフェンスパネル３のパネル面との間隔ｓが１〜１０ｍｍとされていることが望ましく、更には１〜３ｍｍとされていることが望ましい。また遮蔽板７３の下端７３ａと、フェンスパネル３の端部との重複長さｔが２ｍｍ以上とされていることが望ましい。但し、遮蔽板７３は、フェンスパネル３のパネル面に対する平面視で、フェンスパネル３の周端に対して重複するように延長されているものであれば、上述した効果を発現し得ることは勿論である。
【００５４】
次に、本発明を適用したフェンス１の施工方法について説明をする。
【００５５】
現場による施工を行う前において、工場等においてカバー７が取り付けられた補強用フレーム５、補強用フレーム６、縦枠４を上述した方法に基づいて互いに取り付ける。このとき、補強用フレーム５、６における長溝５１、６１においてナット２５を予め挿入しておく。また補強用フレーム５における貼付面５４、５５、カバー７における貼付面７５、更に補強用フレーム６における貼付面６５に対して、粘着層を介してフェンスパネル３を貼着する。ここまでの組立を行った後、一体となった補強用フレーム５、６、縦枠４、フェンスパネル３を現場に搬送する。
【００５６】
上述した工場における作業と前後させて、現場では、支柱２をＡ方向に向けて複数に亘り立設させる。この立設させた支柱２に対して、搬送されてきた補強用フレーム５、６を取り付ける作業を行う。この補強用フレーム５、６の取り付けは、支柱２に対して挿入されたボルト２３を長溝５１、６１に挿入させたナット２５に対して螺着させることにより行う。ちなみにカバー７の補強用フレーム５に対する取り付けは、工場にて行うことは必須にならず、現場にて取り付けるようにしてもよい。このようにして施工されたフェンス１について更に各種情報が施された樹脂フィルム１０１を貼着する場合には、これに粘着剤を塗布し、上述した方法に基づいてフェンスパネル３に貼り付けることとなる。
【００５７】
なお本発明を適用したフェンス１は、平地に取り付けられる場合に限定されるものではなく、図１２に示すようにＡ方向に向けて勾配がある地面に対して取り付けられるものであってもよい。かかる場合には、補強用フレーム５、６について、支柱２とのボルト２３による取り付け位置がＡ方向において、図３に示すような平地にて取り付けられる場合と比較して異なるものとなる。かかる場合には、長溝５１、６１に挿入されているナット２５がその長溝５１、６１に沿ってＡ方向に向けて移動自在に構成されていることで、勾配に応じて取り付け位置が変化する場合においても対応することが可能となる。特にこのナット２５が断面四角形状に構成されていることで、その長溝５１、６１に沿った移動を容易に実現し易くなり、作業性を向上させることが可能となる。
【００５８】
また、本発明によれば、フェンスパネル３が貼着される補強用フレーム５における貼付面５４、５５、カバー７における貼付面７５、更に補強用フレーム６における貼付面６５は、粘着層を介して貼り付けられることを前提としていることから、何れも平滑な面で構成され、ボルトを挿入するための孔や、その他機械的な接合を行うための接合部材用の接合手段を一切形成されていないことが前提となる。かかる場合において、上述した遮蔽板７３の構成は省略するようにしてもよい。
【００５９】
一方、上述した遮蔽板７３の構成を必須とする場合には、貼付面５４、５５、７５、６５において、ボルトを挿入するための孔や、その他機械的な接合を行うための接合部材用の接合手段が特段設けられていてもよい。
【００６０】
なお本発明は、フェンス１の求められる機能の下、歩行者の自由な横断を抑止し、又は人の視線を遮ることを目的として設置されるものであり、宣伝広告機能、情報表示機能を主目的として設置されるものでない。このため、図１３に示すように、歩行者がＳ領域からＲ領域に向けて移動しようとしても、フェンス１や他の障害物によりＲ領域の周囲が囲まれているため、Ｒ領域に入ることができない。
【００６１】
但し、本発明は、これに限定されるものではなく、図１に示すように一部において歩行者の移動を許容できるような配設方法であっても、少なくともそのフェンス１が設けられている箇所においては、歩行者の自由な横断を抑止でき、或いは人の視線を遮蔽できているため、上述した目的を満たすものとなる。
【００６２】
また上述した実施の形態においては、補強用フレーム５、６の長手方向を支柱２に対して直交する方向に取り付ける場合を例に取り説明をしたが、これに限定されるものではなく、補強用フレーム５、６の長手方向を支柱２に対して略平行方向となるようにして取り付けるようにしてもよい。かかる場合には、樹脂フィルム１０１の水平方向の端縁１０１ａを効率よく遮蔽板７３の裏に押し込んで収容することが可能となる。
【００６３】
また、図１４（ａ）は、フェンス用土台８の上に本発明を適用したフェンス１を設ける例の表側から視認した状態を示す斜視図であり、図１４（ｂ）は、これを裏側から視認した斜視図である。このフェンス用土台８についてもフェンス１と同様にＡ方向に向けて延長されている。このようなフェンス用土台８上に設けられたフェンス１も、歩行者の自由な横断を抑止できているため、上述した目的を満たすものとなる。
【符号の説明】
【００６４】
１  フェンス
２  支柱
３  フェンスパネル
４  縦枠
５  補強用フレーム
５ａ  内壁
６  補強用フレーム
６ａ  内壁
７  カバー
８  フェンス用土台
２３  ボルト
２４、４１  ボルト孔
２５  ナット
４２、５４、５５、６５、７５  貼付面
４３  凹部
４４  ボルト
４８  小口フタ
４９  連結ブラケット
５１  長溝
５２、６２  接合部
５３  係止部
５６  対向面
５７  中間板
５８ａ  側端
６１  長溝
６５  貼付面
６８ａ  側端
７０  端面
７１  弾性変形部
７２  突出片
７３  遮蔽板
７６  対向面
９１  ボルト
９２  ナット
１０１  樹脂フィルム
【図１】
2017172160.tif 000003
【図２】
2017172160.tif 000004
【図３】
2017172160.tif 000005
【図４】
2017172160.tif 000006
【図５】
2017172160.tif 000007
【図６】
2017172160.tif 000008
【図７】
2017172160.tif 000009
【図８】
2017172160.tif 000010
【図９】
2017172160.tif 000011
【図１０】
2017172160.tif 000012
【図１１】
2017172160.tif 000013
【図１２】
2017172160.tif 000014
【図１３】
2017172160.tif 000015
【図１４】
2017172160.tif 000016